(57)【要約】      （修正有）【課題】環境中で自然分解可能な箸を提供する。【解決手段】箸本体は、自然の土壌環境中で微生物により水と二酸化炭素に分解され、永久性廃棄物の環境に対する汚染ストレスを低減する。前記箸の構造は主に微生物により分解されるポリ乳酸(PLA, Polylactide)材質から構成され、ポリ乳酸は非石化原料から成り、箸の構造を形成できるため、大量生産でも過度に限りある石化エネルギーを消耗することがなく、多くの利点を有すると同時に多方面のニーズを満たすことができる。そのうち、前記箸は断面形状が円筒状、方形、或いは分離式の組み立て式箸のいずれかとすることができる。【選択図】図３
0003144748.tif 000002
【実用新案登録請求の範囲】
【請求項１】
環境中で自然分解可能な箸であって、
前記箸の本体は、一端にやや大きい頭部を形成するとともに他端がやや細い下端部を形成した長い棒状を呈していて、
前記本体がポリ乳酸(PLA, Polylactide)材質のプラスチック材料から成り、
前記箸が特定の環境において水と二酸化炭素に分解され、環境ストレスを低減するよう構成したことを特徴とする、
環境中で自然分解可能な箸。
【請求項２】
前記箸の断面形状が円形を呈することを特徴とする、請求項１に記載の環境中で自然分解可能な箸。
【請求項３】
前記箸の本体を分離組立て式に構成したことを特徴とする、請求項２に記載の環境中で自然分解可能な箸。
【考案の詳細な説明】
【技術分野】
【０００１】
本考案は環境中で自然分解可能な箸に関し、特に、主に自然分解可能なポリ乳酸(PLA, Polylactide)材質から成り、廃棄後自然分解が可能で、環境ストレスを発生しない箸に関するものである。
【背景技術】
【０００２】
箸は世界で普遍的に用いられている食器の一つであり、近年人々が外食で食事をするときはほとんどが衛生問題のためレストランが提供する使い捨て箸を選択しており、使い捨て箸の供給量が大幅に増加している。
しかし、使い捨て箸は製造過程における不衛生や、人体の健康を害する疑いがあることがあり、加えて使い捨て箸の製造には大量に樹木や竹の伐採が必要で、且つ大量の漂白剤を使用して色抜きが行われており、製造後もわずか一回のみの使用で捨てられている。
これらさまざまな不良製造過程及び使用後のごみの問題が、人体及び環境衛生に極めて大きな害となっているため、使い捨て箸の使用停止の呼びかけが日増しに高まっている。
従来のプラスチック箸は環境にはより配慮できるものの、従来の箸はほとんどがプラスチック製でその基質は石油であり、自然分解はできず、また永続性も具備しておらず、且つ焼却するとダイオキシンを発生して空気を汚染してしまい、埋め立て処理しても自己分解されないため、使用後のプラスチック廃棄物の処理が往々にして環境保護の問題の種となっている。
【０００３】
プラスチックは分解できず、焼却ができるだけであり、焼却は有毒な気体が空気を汚染して生態に害を与えてしまい、埋め立てると多くの面積を占用し、埋め立て地の使用年数が減少してしまい、資源の無駄となり、社会コストの浪費となるだけでなく、人力資源の支出もさらに生態上の大きな危機を招いてしまう。
【０００４】
このほか、石化資源が徐々に枯渇して石化製品コストが上がり続けているため、環境保護とコスト面のニーズに対応するため、非石化材料を使用し、且つ後続の廃棄物処理に便利な箸が必要とされている。
【考案の開示】
【考案が解決しようとする課題】
【０００５】
本考案は従来の箸の技術の不足に鑑みて成されたもので、本考案の目的は特に環境中で自然分解可能な箸を提供することにある。
【課題を解決するための手段】
【０００６】
本考案の箸は、自然の土壌環境中で微生物により水と二酸化炭素に分解され、永久性廃棄物の環境に対する汚染ストレスを低減する。前記箸の構造は主に微生物により分解されるポリ乳酸(PLA, Polylactide)材質から構成され、ポリ乳酸は非石化原料から成り、箸の構造を形成できるため、大量生産でも過度に限りある石化エネルギーを消耗することがなく、多くの利点を有すると同時に多方面のニーズを満たすことができる。そのうち、前記箸は断面形状が円筒状、方形、或いは分離式の組み立て式箸のいずれかとすることができる。
【０００７】
すなわち、本願の第１の考案は、環境中で自然分解可能な箸であって、前記箸の本体が長い棒状を成し、一端がやや大きい頭部であり、一端がやや細い下端部であり、また前記本体の構造がポリ乳酸(PLA, Polylactide)材質のプラスチック材料から成り、そのうち前記箸が特定の環境において水と二酸化炭素に分解され、環境ストレスを低減するよう構成したことを特徴とする、環境中で自然分解可能な箸を提供する。
本願の第２の考案は、前記箸の断面形状が円形を成すことを特徴とする、前記第１の考案の環境中で自然分解可能な箸を提供する。
本願の第３の考案は、前記箸の断面形状が分離式の組み立て式箸を成すことを特徴とする、前記第２の考案の環境中で自然分解可能な箸を提供する。
【考案を実施するための最良の形態】
【０００８】
本考案の構造組成及びその効果と利点について、以下図面と本考案の最良の実施例に基づき、詳細に説明する。
【０００９】
本考案の環境中で自然分解可能な箸は主にPLA材質のプラスチック材料から成り、次を含む。
【００１０】
箸１は原料を射出成型方式で加工して成り、図に示すように前記箸１は概ね長い棒状を成し、頭部がやや大きく下端部がやや細く形成され、且つ前記箸１はポリ乳酸(PLA, Polylactide)材質のプラスチック材料から成る。
前記ポリ乳酸(PLA, Polylactide)は微生物により分解可能な天然穀類作物を原料とするポリマーである(図１参照)。
【００１１】
図２Ａから図３に示すように、そのうち前記箸１の断面形状は円形のほか方形の箸１１及び分離式の組み立て式の箸１２とすることもできる。
前記分離式の組み立て式の箸１２は携帯に便利であり、普段の外食時に使用することができる。
【００１２】
ポリ乳酸(PLA, Polylactide)は植物を材料ソースとして再生が可能であり、且つ自然分解可能である。ポリ乳酸(PLA, Polylactide)が分解された後は水と二酸化炭素が形成され、植物が光合成作用で吸収した後、生物サイクルに取り込まれ、生態への影響を相対して減少することができる。
【００１３】
上述をまとめると、本考案は人間工学に則した設計で実際のニーズを満たしている。現有の欠点を具体的に改善し、従来技術と比較して明らかに進歩性があり、確実に効果を増進することができ、容易に達成できるものではない。
【００１４】
上述の詳細な説明は、本考案の最良の実施例の具体的説明であり、前記実施例は本考案の特許範囲を制限することはなく、本考案の技術の要旨を逸脱しない同等効果の実施または変更はすべて本考案の範囲に含まれるものとする。
【図面の簡単な説明】
【００１５】
【図１】本考案の立体外観図である。
【図２Ａ】本考案の別の実施例の分離した状態の立体図である。
【図２Ｂ】図２Aの組み立て後の立体図である。
【図３】本考案のさらに別の実施例の立体図である。
【符号の説明】
【００１６】
１        箸
１１      方形箸
【図１】
0003144748.tif 000003
【図２Ａ】
0003144748.tif 000004
【図２Ｂ】
0003144748.tif 000005
【図３】
0003144748.tif 000006